(57)【要約】【課題】乾燥完了までの時間を短縮でき、また乾燥完了まで待たなかった場合にも、手を充分温めることができ、気化熱による手の冷却という不快感を軽減できる手乾燥機を提供することを目的としている。【解決手段】空気を送風する送風手段４と、送風手段が通風する空気を加熱する発熱手段６と、輻射熱を照射する輻射手段８と、手を検出する検出手段７と、それらを駆動させる制御手段１１とを備え、送風手段４、発熱手段６が吐出する温風と輻射手段８が発生する輻射熱の両方によって手を乾燥するて乾燥機としている。【選択図】図１
2004081878.tif 000002
【特許請求の範囲】
【請求項１】
空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段とを備え、温風と輻射熱によって手を乾燥する手乾燥器。
【発明の詳細な説明】
【技術分野】
【０００１】
　本発明は、洗面所やトイレ、台所等に設置して、手洗い後の濡れた手を乾燥する手乾燥器に関するものである。
【背景技術】
【０００２】
　従来より、水洗等によって濡れた手をタオルやハンカチを使用する代わりに、送風された温風に手をかざすことによって手を乾燥する手乾燥器が実用化されている。例えばヘヤドライヤとしても使用できるもの、また水滴の飛散を防止できる構成となっているもの、あるいは紫外線による殺菌等の付加機能を備えているものや、送風空気を環流させたり、送風ファンブレードを発熱体で構成したりして加熱効率を向上させているものも開発されている。
【発明の開示】
【発明が解決しようとする課題】
【０００３】
　しかし前記従来の温風式の手乾燥器は、乾燥完了までに約２０秒〜１分と、タオルやハンカチで拭くのに比べてかなり時間を要するものとなっている。また乾燥完了を待てずに途中で乾燥をやめてしまうと、特に気温の低い冬季には、手表面に残った水分の蒸発による気化熱によって、手が冷却され、不快感を覚えたり、手肌荒れの要因にもなるものである。
【０００４】
　そこで本発明は、乾燥完了までの時間を短縮でき、また乾燥完了まで待たなかった場合にも、手を充分温めることができ、気化熱による手の冷却という不快感を軽減できる手乾燥器を提供することを目的としている。
【課題を解決するための手段】
【０００５】
　前記目的を達成する本発明の１つの手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段とを備え、温風と輻射熱によって手を乾燥する手乾燥器とするものである。
【０００６】
　また本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下部に前記輻射手段と向かい合う形で設けた反射板とを備え、本体と反射板との間に手を差し出して乾燥を行う手乾燥器とするものである。
【０００７】
　本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下方に設けた内側を反射面とした反射筒とを備え、反射筒の端面に手を差し出して乾燥を行う手乾燥器とするものである。
【０００８】
　また本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下方に設けた内側を反射面とした反射室とを備え、反射室内に手を差し出して乾燥を行う手乾燥器とするものである。
【０００９】
　更に本発明のその他の手段は、特に反射室の最下部に排水口を設けた手乾燥器とするものである。
【発明の効果】
【００１０】
　本発明の１つの手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段とを備え、温風と輻射熱によって手を乾燥する構成として、温風だけの乾燥に比べて乾燥完了までの時間が短縮でき、仮に乾燥途中で切り上げても、手を温めているので気化熱による冷却等の不快感を軽減できる手乾燥器を実現するものである。
【００１１】
　また本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下部に前記輻射手段と向かい合う形で設けた反射板とを備え、本体と反射板との間に手を差し出して乾燥を行う構成として、手の裏側も同時に乾燥することができ、乾燥完了までの時間がさらに短縮でき、手を裏返すわずらわしさを軽減した手乾燥器を実現するものである。
【００１２】
　本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下方に設けた内側を反射面とした反射筒とを備え、反射筒の端面に手を差し出して乾燥を行う構成として、輻射熱を効率よく受けることができ、乾燥完了までの時間を短縮できる、あるいは低出力の輻射手段を使用できる手乾燥器を実現するものである。
【００１３】
　また本発明のその他の手段は、空気を送風する送風手段と、送風手段が送風する空気を加熱する発熱手段と、輻射熱を照射する輻射手段と、手を検出する検出手段と、検出手段の出力を受けて前記送風手段および発熱手段と輻射手段を駆動する制御手段と、前記送風手段・発熱手段・輻射手段・検出手段・制御手段を収容する本体と、本体の下方に設けた内側を反射面とした反射室とを備え、反射室内に手を差し出して乾燥を行う構成として、輻射熱を無駄なく効率よく多方向から受けることができ、乾燥完了までの時間をがさらに短縮でき、また温風で飛ばされる水滴が飛散せず周囲を汚さないので周囲の清潔感が保つことができる手乾燥器を実現するものである。
【００１４】
　また本発明のその他の手段は、特に反射室の最下部に排水口を設けた構成として、反射室内に水が溜まらず、排水の作業を軽減でき、反射室内の清潔感を高めた手乾燥器を実現するものである。
【発明を実施するための最良の形態】
【００１５】
　本発明の１つの手段は、送風手段・発熱手段が吐出する温風と輻射手段が発生する輻射熱の両方によって手を乾燥する手乾燥器としている。
【００１６】
　本発明のその他の手段は、反射板が輻射熱を反射し、差し出した手の両面を同時に乾燥する手乾燥器としている。
【００１７】
　本発明のその他の手段は、反射筒が側方に逃げる輻射熱のほとんどを手まで誘導し、効率的に手を乾燥できる手乾燥器としている。
【００１８】
　また本発明のその他の手段は、反射室によって輻射熱のほとんどを多方向から手に照射でき、また温風で飛ばされる水滴を周囲の壁や床に飛散させない手乾燥器としている。
【００１９】
　更に本発明のその他の手段は、反射室内に溜まった水滴を排水口から排出できる手乾燥器としている。
【実施例】
【００２０】
　（実施例１）
　以下、本発明の手乾燥器の第一の実施例について説明する。図１は図２に示している外観の手乾燥器の本体１（以下単に本体１と称する）を、トイレや洗面所、台所等の壁面Ｗに設置した状態を示す側面図である。図３は同下面図である。
【００２１】
　本体１内には、空気を送風する送風手段４と、送風手段４が送風する空気を加熱する発熱手段６と、輻射熱を照射する輻射手段８と、手を検出する検出手段７と、検出手段の出力を受けて前記送風手段および発熱手段と輻射手段を駆動する制御手段１１とを設けている。送風手段４は、本体１の側面に形成している吸気口１２から吸入した空気を送風するファン・モータで構成している。発熱手段６は、送風手段４が送風する空気を本体１の底面に設けている温風吐出口２まで案内するエアガイド６ｂと、エアガイド６ｂの内側に設けているニクロム線等のヒータを使用した発熱部６ａとによって構成している。輻射手段８は、本体１の下端部の壁面Ｗ側に設けているハロゲンランプ等のランプヒータあるいはセラミックヒータ等で構成した熱源８ａと、熱源８ａが発生する赤外線を輻射開口部３の下方へ反射するリフレクタ８ｂと、輻射開口部３に設けているリフレクタ８ｂによって反射した赤外線等を散乱させる散乱フィルタ８ｃとによって構成している。リフレクタ８ｂの断面は、手を差し出す位置に効果的に輻射熱が集まるように、円弧あるいは放物線の形状となっている。また検出手段７は、図３に示しているようにエアガイド６ｂの側面で、温風吐出口２の開口面に設けている超音波センサあるいは赤外線センサ等によって構成している。制御手段１１は、検出手段７の出力を監視し、これに基づき送風手段４および発熱手段６と輻射手段８にパワーを供給してこれらを作用させる。また、連続作用時間を計測する。
【００２２】
　以下本実施例の動作について説明する。図１に示しているように、手洗い等によって濡れた手を本体１の下方約１０〜２０ｃｍ程度の位置に差し出すと、検出手段７がこれを検出して乾燥動作を開始する。すなわち制御手段１１は検出手段７からの信号によって手が差し出されたことを認識して、送風手段４・発熱手段６と輻射手段８の動作を開始させる。送風手段４が送風する空気を発熱手段６が加熱して、温風吐出口３から矢印ａに示しているように温風が吐出される。同時に、熱源８ａに対する通電が実行されており、輻射開口３から赤外線による輻射熱が矢印ｒに示すように供給される。この乾燥動作は、本参考例では約１分で停止するようにしている。つまり、実験の結果乾燥動作時間が１分間継続すれば手は乾燥することを確認しているものである。なお１分以内に手を引き戻すと、検出手段７が手の存在を検出しなくなるため制御手段１１は乾燥動作を停止するものである。また、１分間が経過しても乾燥状態が不十分である場合には再び手を差し出せば更に１分間の乾燥動作を開始できるものである。
【００２３】
　以上のように本実施例によれば、温風と赤外線による輻射熱の両方を利用して乾燥動作を実行でき、乾燥完了までの時間を従来よりも短縮できる手乾燥器を実現できるものである。このとき特に本参考例によれば、赤外線による輻射熱によって手を充分温めるようにしているため、気温の低い冬季に乾燥完了まで待たずに手が湿っている場合であっても、残った水分が蒸発する時の気化熱によって手が冷却されるという不快感を軽減できるものである。
【００２４】
　（参考例１）
　続いて本発明の参考例について説明する。本参考例では図５に示しているように、本体１の底部に設けている輻射開口３の下部に輻射手段８と向かい合う形で赤外線による輻射熱を反射する反射板１３を設けている。反射板１３は、本参考例では内側の表面を鏡面仕上げしたアルミニウム或いはステンレスを使用しており、また反射した赤外線を手付近に集めるため、凹面となっている。なお、本体１と反射板１３とを接続する垂直面１ａにも鏡面仕上げを施した反射面としているとさらに好ましい。
【００２５】
　以上の構成として、輻射手段８を構成する熱源８ａの赤外線エネルギをより有効に利用できる手乾燥器として動作するものである。すなわち、本体１と反射板１３との間に手を差し出すと、検出手段７がこれを検出して本体１の底部から温風と赤外線とが発生する。赤外線による輻射熱は、上方から手の上面に直接照射されると同時に、矢印ｒ1のように、手の周囲や指の隙間等から下方に通過し反射板１３で反射されて手の下面にも照射される。このため、手の両面に同時に赤外線による輻射熱を受けることができるものである。従って本参考例によれば、手を頻繁に裏返すわずらわしさが軽減され、乾燥完了までの時間がさらに短縮できるものである。
【００２６】
　（参考例２）
　次に本発明の参考例２について、図６に基づいて説明する。本参考例では本体１の下部に反射筒１４を設けている。反射筒１４は、上端面が温風吐出口２及び輻射開口３を取り巻く断面を、下端面は両手を広げた面積を取り巻く断面を有している。また反射筒１４は、内側の表面を鏡面仕上げによる反射面としたアルミニウム或いはステンレスを使用している。
【００２７】
　以上の構成として、輻射手段８を構成する熱源８ａの赤外線エネルギをより有効に利用できる手乾燥器として動作するものである。すなわち実施例１による構成では、熱源８ａが発生する赤外線による輻射熱は、リフレクタ８ｂによってある程度集められているとはいえ、側方に逃げるロス分も少なからず存在するものである。本参考例では反射筒１４を使用しているため、この側方への赤外線による輻射熱を矢印ｒ2のように反射して底面の端面においた手まで誘導できるものである。また温風吐出口２から発生する温風は、反射筒１４の内側を通過するので、温度降下と拡散が抑えられて手に到達し、風速は速く高い温度でより効果的に乾燥に寄与できる。
【００２８】
　以上のように本参考例によれば、輻射手段８が発生する赤外線による輻射熱を効率よく手に照射することができ、また温風の温度降下を防止でき、乾燥完了までの時間を短縮することができるものである。また、輻射手段８を低出力のものに置き換えても輻射効果が維持でき、機器としてのエネルギー消費量を抑えることもできる。
【００２９】
　（参考例３）
　続いて本発明の参考例３について説明する。本参考例では図７に示しているように、本体１の下部に反射室１５を設けている。反射室１５は前面が開口面となっており、上端面は温風吐出口２と輻射開口３を遮らない形となっており、下部の反射面は輻射熱を手付近に集めるため、凹面となっている。また反射室１５は、前記参考例と同様内面を鏡面仕上げによる反射面としたアルミニウム或いはステンレスを使用している。
【００３０】
　以上の構成として、反射室１５は輻射手段８が発生する赤外線による輻射熱を矢印ｒ3のように反射して多方向から手に照射するものである。よって、輻射手段８の輻射熱を無駄少なく効率よく手に多方向から照射することができるので、乾燥完了までの時間がさらに短縮される。また、温風で飛ばされる水滴は反射室が受けるので、周囲の壁や床に飛散することがないものである。
【００３１】
　またこのとき、反射室１５の最下部に排水口１６を設けておけば、反射室１５内に飛散した水滴は排水口１６に集まって、反射室１５内には水が溜まらないものである。従って、使用後の排水作業を軽減でき、反射室１５内の清潔感が高まるものである。
【００３２】
　なお、排水口１６から先の処理については、下にタンクを設け溜めて捨てる方法、あるいは配管を施し都度直接排水する方法等があり、特に限定するものではない。
【産業上の利用可能性】
【００３３】
　本発明は温風と輻射熱によって乾燥させるものであり、温風と輻射熱の効果割合を調整したり、全体の容量の大小を調整することで手乾燥以外の体乾燥や、その他、動物のヘアー乾燥にも適用できる。
【図面の簡単な説明】
【００３４】
【図１】本発明の第一の参考例である手乾燥器を壁面へ設置した状態を示す側面図
【図２】同、手乾燥器の外観を示す斜視図
【図３】同、手乾燥器を底面から見た状態を示す下面図
【図４】本発明の第二の参考例である手乾燥器の本体と反射板を示す斜視図
【図５】本発明の第三の参考例である本体と反射筒を示す斜視図
【図６】本発明の第四の参考例である本体と反射室および排水口を示す斜視図
【符号の説明】
【００３５】
　１　本体
　４　送風手段
　６　発熱手段
　７　検出手段
　８　輻射手段
　１１　制御手段
　１３　反射板
　１４　反射筒
　１５　反射室
　１６　排水口
【図１】
2004081878.tif 000003
【図２】
2004081878.tif 000004
【図３】
2004081878.tif 000005
【図４】
2004081878.tif 000006
【図５】
2004081878.tif 000007
【図６】
2004081878.tif 000008